(57)【要約】【課題】伝送効率を低下させない位相補正回路を提供する事を目的とする。【解決手段】アナログ信号をディジタル信号に変換するＡＤ変換部１と、変換されたディジタル信号をフーリエ変換してＯＦＤＭ復調するＦＦＴ部２と、ＯＦＤＭ復調により得られたフレーム信号からプリアンブル部のシンボルを抽出するプリアンブルシンボル抽出部３と、抽出したプリアンブル部のシンボルを用いてサブキャリアの位相の平均値を算出して復調したシンボルに対する位相補正値を出力する位相補正値推定部４と、プリアンブル部のシンボルを用いてサブキャリアのＳ／Ｎ値を算出するＳ／Ｎ算出部５と、データ部のシンボルを用いて位相誤差を抽出し、位相補正値推定部４が出力する位相補正値の精度を向上させる位相誤差補正部７と、位相誤差補正部７が出力する位相補正値により復調シンボルの位相補正を行う差動検波部６とにより構成する。【選択図】　　　　図１
2004007280.tif 000002
【特許請求の範囲】
【請求項１】
受信したアナログ信号をディジタル信号に変換するＡ／Ｄ変換部と、
該Ａ／Ｄ変換部が出力する信号をフーリエ変換し直交周波数分割多重復調するフーリエ変換部と、
該フーリエ変換部が出力する復調信号からプリアンブル部のシンボルを抽出するプリアンブルシンボル抽出部と、
該抽出したプリアンブル部のシンボルからサブキャリアの位相の平均値を求めて前記シンボルの位相誤差に対する位相補正値を推定する位相補正値推定部と、
前記抽出したプリアンブル部のシンボルから複数フレーム分のシンボルを用いてサブキャリアの平均レベル値及び分散値を求めＳ／Ｎ値を算出するＳ／Ｎ算出部と、
前記フーリエ変換部が出力する復調信号を前記位相補正値推定部により推定した位相誤差に対する位相補正値により差動検波する差動検波部とにより構成した位相補正回路において、
前記差動検波されたデータ部の復調シンボルを所定の値だけ位相回転させるシンボル点回転手段と、復調シンボルの位相回転結果から位相誤差を抽出し復調シンボルの位相誤差に対する位相補正値を算出する位相誤差抽出手段と、該位相補正値を用いて差動検波する事により前記位相補正値推定部が出力する位相補正値の精度を向上させる差動検波手段とを備えた位相誤差補正部を設けたことを特徴とする位相補正回路。
【請求項２】
前記位相誤差補正部が、理想シンボル点と復調シンボル点との差分を検出するシンボル点差分検出手段と、検出した差分を基に位相誤差を抽出し復調シンボルの位相誤差に対する位相補正値を算出する位相誤差抽出手段と、該位相補正値を用いて差動検波する事により前記位相補正値推定部が出力する位相補正値の精度を向上させる差動検波手段とにより構成した事を特徴とする請求項１記載の位相補正回路。
【請求項３】
サブキャリア毎に対応して設けられた複数の前記位相補正回路において、
各位相誤差補正部に備えた位相誤差抽出手段が出力する夫々の位相補正値を入力し、該位相補正値の平均値を求めた後前記位相誤差抽出手段に該平均値を出力する位相誤差平均値算出部を設け、前記位相補正値推定部が出力する位相補正値の精度の向上を前記位相誤差平均値算出部が出力する位相補正値の平均値を用いて行った事を特徴とする請求項１及び２記載の位相補正回路。
【請求項４】
前記位相誤差平均値算出部を、サブキャリア毎に対応して設けられた複数の前記位相補正回路に備えたＳ／Ｎ算出部が出力するＳ／Ｎ値を入力し、前記位相補正値の平均を求める際に各サブキャリアのＳ／Ｎ値を監視して、該Ｓ／Ｎ値が所定値より劣化したサブキャリアの前記位相補正値を、位相補正値の平均を求める際に除外するよう構成したＳ／Ｎ選択位相誤差平均値算出部に置き換えたことを特徴とする請求項１乃至３記載の位相補正回路。
【請求項５】
前記位相誤差補正部に、位相誤差抽出手段が出力する位相補正値が予め定めた一定値に達するか否かを監視し、達した際には所定値を位相補正値として出力する位相補正値設定手段を追加した事を特徴とする請求項１乃至４記載の位相補正回路。
【請求項６】
受信したアナログ信号をディジタル信号に変換するＡ／Ｄ変換部と、
該Ａ／Ｄ変換部が出力する信号をフーリエ変換し直交周波数分割多重復調するフーリエ変換部と、
該フーリエ変換部が出力する復調信号からプリアンブル部のシンボルを抽出するプリアンブルシンボル抽出部と、
該抽出したプリアンブル部のシンボルからサブキャリアの位相の平均値を求めて前記シンボルの位相誤差に対する位相補正値を推定する位相補正値推定部と、
前記抽出したプリアンブル部のシンボルから複数フレーム分のシンボルを用いてサブキャリアの平均レベル値及び分散値を求めＳ／Ｎ値を算出するＳ／Ｎ算出部と、
前記フーリエ変換部が出力する復調信号を前記位相補正値推定部により推定した位相誤差に対する位相補正値により差動検波する差動検波部とにより構成した位相補正回路において、
クロック周波数の制御を行うＡＦＣ部の設計精度を基に復調シンボルの位相誤差を算出するＡＦＣ誤差による位相補正値算出部と、
該ＡＦＣ誤差による位相補正値算出部が出力する情報を用いて復調シンボルの位相誤差に対する位相補正値と位相補正周期を差動検波手段に出力する位相補正値設定手段と、該位相補正値設定手段が出力する位相補正値と位相補正周期を用いて差動検波する事により前記位相補正値推定部が出力する位相補正値の精度を向上させる差動検波手段とを備えた位相誤差補正部を設けたことを特徴とする位相補正回路。
【請求項７】
前記ＡＦＣ誤差による位相補正値算出部を、前記位相補正回路に備えたＳ／Ｎ算出部が出力するＳ／Ｎ値を入力し、Ｓ／Ｎの状況により位相補正周期を調整するよう機能するＳ／Ｎ選択したＡＦＣ誤差による位相補正値算出部に置き換えたことを特徴とする請求項６記載の位相補正回路。
【発明の詳細な説明】
【０００１】
【発明の属する技術分野】
本発明は位相補正回路に関し、特に直交周波数分割多重（以降、ＯＦＤＭと称す）変復調装置の受信側において、マルチキャリア復調の後、位相変調等を用いて一次変調されたディジタルデータを復調した際に生ずる復調シンボルの位相ずれを補正する位相補正回路に関する。
【０００２】
【従来の技術】
近年、ディジタル伝送の手段として複数のキャリアを直交配置して周波数分割多重するＯＦＤＭ変復調方式が実用化され広く採用されている。ＯＦＤＭ変復調方式は、高速なディジタルデータを、低速で狭帯域な信号に変調して周波数軸上に直交配置したサブキャリアを多数並列に配列するマルチキャリア変復調方式であり、高い信頼性を備えた通信方式である。
ＯＦＤＭ変復調装置は、通信を開始するにあたり互いに既知のシンボルからなるトレーニング信号を送信し、受信側にてサブキャリア毎に、受信した既知のシンボル列であるプリアンブル部のシンボルを用いて、位相回転量の平均値から位相特性の推定を行うことにより位相誤差を求め、復調シンボルの位相誤差に対する位相補正値を推定し、この位相補正値を用いて受信データシンボル位相の正規化を行っている。
【０００３】
図１０に、従来のＯＦＤＭ変復調装置の位相補正回路の機能構成例を示す。同図は、一次変復調方式として位相変復調（以降、ＰＳＫと称す）を採用した場合について説明に必要な構成要素のみを示し、アナログ受信部（図示していない）が出力するアナログ信号をディジタル信号に変換するＡＤ変換部１と、変換されたディジタル信号をフーリエ変換してＯＦＤＭ復調するＦＦＴ部２と、ＯＦＤＭ復調により得られたフレーム信号からプリアンブル部のシンボルを抽出するプリアンブルシンボル抽出部３と、抽出したプリアンブル部のシンボルを用いてサブキャリアの位相の平均値を算出して復調したシンボル点の位相補正値を推定する位相補正値推定部４と、プリアンブル部のシンボルを用いてサブキャリアのＳ／Ｎを算出するＳ／Ｎ算出部５と、位相補正値推定部４が推定した位相補正値により、復調シンボルの位相の補正を行う差動検波部６とにより構成する。
【０００４】
図１０の動作を説明すると、伝送路から受信したマルチキャリアからなるＯＦＤＭ信号は、アナログ受信部（図示していない）において受信した後、夫々Ａ／Ｄ変換部１に入力してディジタル信号に変換する。変換したディジタル信号は、ＦＦＴ部２においてフーリエ変換することによりＯＦＤＭ復調し、所望の複素数信号を得る。
次に、通信を開始するにあたり、ＯＦＤＭ変調装置の送信側と受信側とにおいて、既知のシンボルで構成されるプリアンブル部のシンボルを用いてトレーニングを行う。
【０００５】
図１１（ａ）に、ＯＦＤＭ変復調装置のフレームフォーマットの構成例を示す。同図に示すように、フレームフォーマットは、同期部とプリアンブル部及びデータ部とにより構成し、プリアンブル部は、伝送路の品質状況の推定やトレーニングを行う際に用いられる既知のシンボルにより構成する。
そこで、トレーニングとして、プリアンブルシンボル抽出部３により、ＯＦＤＭ復調した信号からプリアンブル部のシンボルを抽出し、更に、位相補正値推定部４において、受信したプリアンブル部のシンボルの位相平均値を求めて復調シンボルの位相誤差に対する位相補正値を推定し、差動検波部６において復調シンボルの位相回転の正規化を行い出力する。
一方、Ｓ／Ｎ算出部５は、受信したプリアンブル部のシンボルの平均レベル値及び分散値を求め、Ｓ／Ｎ値を算出して出力し、１次変復調部の制御等に使用する。
【０００６】
次に、受信シンボルの位相誤差の原因となる大きなものはクロック周波数の制御を行うＡＦＣ部（図示していない）の精度であるが、このＡＦＣ部は、完全な周波数制御は不可能であり、常に誤差が残留している。そこで、ＡＦＣの精度が十分確保されていないとクロック信号のずれが生ずることから、データ部のシンボルを復調した際に位相誤差を補正しても補正残がしだいに大きくなり、従って、データ部のシンボル列の後半のシンボルになるにつれ位相誤差は拡大し、プリアンブル部のシンボルを用いて推定した位相補正値では補正しきれなくなるという現象が生じていた。
そのため、データ部のシンボルを復調した際に誤りとならない限界の位相誤差が生ずる前に、プリアンブル部のシンボルを用いて次の位相補正値の推定を行いデータ部のシンボルの位相を補正することが必要となり、そのため送信信号のフレーム長を短くするか、或いは１フレーム内にプリアンブル部を複数挿入すること等の手段がとられていた。
図１１（ｂ）は、ＯＦＤＭ変復調装置のフレームフォーマットについて、プリアンブル部を複数挿入した構成例を示す。
【０００７】
【発明が解決しようとする課題】
しかしながら、従来の位相補正回路は、前述したように送信信号のフレーム長を短くするか、或いは１フレーム内にプリアンブル部を複数挿入していたため、１フレーム内にデータ部のシンボルが占める割合が減少し、伝送効率が低下するという問題が生じていた。
本発明は上述したような問題を解決するためになされたものであって、伝送効率を低下させない位相補正回路を提供する事を目的とする。
【０００８】
【課題を解決するための手段】
上記目的を達成するために本発明に係わる位相補正回路は、以下の構成をとる。
請求項１記載の位相補正回路は、受信したアナログ信号をディジタル信号に変換するＡ／Ｄ変換部と、該Ａ／Ｄ変換部が出力する信号をフーリエ変換し直交周波数分割多重復調するフーリエ変換部と、該フーリエ変換部が出力する復調信号からプリアンブル部のシンボルを抽出するプリアンブルシンボル抽出部と、該抽出したプリアンブル部のシンボルからサブキャリアの位相の平均値を求めて前記シンボルの位相誤差に対する位相補正値を推定する位相補正値推定部と、前記抽出したプリアンブル部のシンボルから複数フレーム分のシンボルを用いてサブキャリアの平均レベル値及び分散値を求めＳ／Ｎ値を算出するＳ／Ｎ算出部と、前記フーリエ変換部が出力する復調信号を前記位相補正値推定部により推定した位相誤差に対する位相補正値により差動検波する差動検波部とにより構成した位相補正回路において、前記差動検波されたデータ部の復調シンボルを所定の値だけ位相回転させるシンボル点回転手段と、復調シンボルの位相回転結果から位相誤差を抽出し復調シンボルの位相誤差に対する位相補正値を算出する位相誤差抽出手段と、該位相補正値を用いて差動検波する事により前記位相補正値推定部が出力する位相補正値の精度を向上させる差動検波手段とを備えた位相誤差補正部を設けるよう構成する。
【０００９】
請求項２記載の位相補正回路は、前記位相誤差補正部が、理想シンボル点と復調シンボル点との差分を検出するシンボル点差分検出手段と、検出した差分を基に位相誤差を抽出し復調シンボルの位相誤差に対する位相補正値を算出する位相誤差抽出手段と、該位相補正値を用いて差動検波する事により前記位相補正値推定部が出力する位相補正値の精度を向上させる差動検波手段とにより構成する。
【００１０】
請求項３記載の位相補正回路は、サブキャリア毎に対応して設けられた複数の前記位相補正回路において、各位相誤差補正部に備えた位相誤差抽出手段が出力する夫々の位相補正値を入力し、該位相補正値の平均値を求めた後前記位相誤差抽出手段に該平均値を出力する位相誤差平均値算出部を設け、前記位相補正値推定部が出力する位相補正値の精度の向上を前記位相誤差平均値算出部が出力する位相補正値の平均値を用いて行うよう構成する。
【００１１】
請求項４記載の位相補正回路は、前記位相誤差平均値算出部を、サブキャリア毎に対応して設けられた複数の前記位相補正回路に備えたＳ／Ｎ算出部が出力するＳ／Ｎ値を入力し、前記位相補正値の平均を求める際に各サブキャリアのＳ／Ｎ値を監視して、該Ｓ／Ｎ値が所定値より劣化したサブキャリアの前記位相補正値を、位相補正値の平均を求める際に除外するよう構成したＳ／Ｎ選択位相誤差平均値算出部に置き換えるよう構成する。
【００１２】
請求項５記載の位相補正回路は、前記位相誤差補正部に、位相誤差抽出手段が出力する位相補正値が予め定めた一定値に達するか否かを監視し、達した際には所定値を位相補正値として出力する位相補正値設定手段を追加するよう構成する。
【００１３】
請求項６記載の位相補正回路は、受信したアナログ信号をディジタル信号に変換するＡ／Ｄ変換部と、該Ａ／Ｄ変換部が出力する信号をフーリエ変換し直交周波数分割多重復調するフーリエ変換部と、該フーリエ変換部が出力する復調信号からプリアンブル部のシンボルを抽出するプリアンブルシンボル抽出部と、該抽出したプリアンブル部のシンボルからサブキャリアの位相の平均値を求めて前記シンボルの位相誤差に対する位相補正値を推定する位相補正値推定部と、前記抽出したプリアンブル部のシンボルから複数フレーム分のシンボルを用いてサブキャリアの平均レベル値及び分散値を求めＳ／Ｎ値を算出するＳ／Ｎ算出部と、前記フーリエ変換部が出力する復調信号を前記位相補正値推定部により推定した位相誤差に対する位相補正値により差動検波する差動検波部とにより構成した位相補正回路において、クロック周波数の制御を行うＡＦＣ部の設計精度を基に復調シンボルの位相誤差を算出するＡＦＣ誤差による位相補正値算出部と、該ＡＦＣ誤差による位相補正値算出部が出力する情報を用いて復調シンボルの位相誤差に対する位相補正値と位相補正周期を差動検波手段に出力する位相補正値設定手段と、該位相補正値設定手段が出力する位相補正値と位相補正周期を用いて差動検波する事により前記位相補正値推定部が出力する位相補正値の精度を向上させる差動検波手段とを備えた位相誤差補正部を設けるよう構成する。
【００１４】
請求項７記載の位相補正回路は、前記ＡＦＣ誤差による位相補正値算出部を、前記位相補正回路に備えたＳ／Ｎ算出部が出力するＳ／Ｎ値を入力し、Ｓ／Ｎの状況により位相補正周期を調整するよう機能するＳ／Ｎ選択したＡＦＣ誤差による位相補正値算出部に置き換えるよう構成する。
【００１５】
【発明の実施の形態】
以下、図示した実施例に基づいて本発明を詳細に説明する。
本実施例においては、通信の開始時に行うトレーニングにおいて、受信信号に含まれているプリアンブル部のシンボルを用いて粗い受信位相特性の推定を行った後、この推定結果を基にデータ部の復調シンボルの位相ずれの補正を行い、次に、位相補正されたデータ部の復調シンボルに、所定の処置を加える事により位相誤差の残量を抽出して更なる位相補正値を算出し、この位相補正値を用いてプリアンブル部のシンボルにより推定した位相補正値の精度を向上させ、この精度の高い位相補正値でデータ部のシンボルの位相補正を行うものである。そこで、プリアンブル部のシンボルを用いた受信位相特性の推定は粗い推定とするので、プリアンブル部を構成するシンボルは短いものでよく、又、位相補正値の精度の向上を図る際は、データ部のシンボルを用いて位相補正値の算出を行うので、伝送効率の劣化は生じない。尚、以降の説明は、１次変調方式としてＱＰＳＫを採用した場合について記述するが、本発明は、位相変調方式一般に適応可能である。
【００１６】
図１は、本発明に係る位相補正回路の第一の実施例を示す機能ブロック図である。同図は、位相補正回路の必要な構成要素のみを示し、アナログ受信部（図示していない）が出力するアナログ信号をディジタル信号に変換するＡＤ変換部１と、変換されたディジタル信号をフーリエ変換してＯＦＤＭ復調するＦＦＴ部２と、ＯＦＤＭ復調により得られたフレーム信号からプリアンブル部のシンボルを抽出するプリアンブルシンボル抽出部３と、抽出したプリアンブル部のシンボルを用いてサブキャリアの位相の平均値を算出して復調したシンボルに対する位相補正値を出力する位相補正値推定部４と、プリアンブル部のシンボルを用いてサブキャリアのＳ／Ｎ値を算出するＳ／Ｎ算出部５と、データ部の復調シンボルを用いて位相誤差を抽出し、位相補正値推定部４が出力する位相補正値の精度を向上させる位相誤差補正部７と、位相誤差補正部７が出力する位相補正値により復調シンボルの位相補正を行う差動検波部６とにより構成する。
又、位相誤差補正部７は、差動検波されたデータ部の復調シンボルを所定の値だけ位相回転させるシンボル点回転手段８と、シンボルの位相回転結果から位相誤差を抽出し復調シンボルの位相補正値を算出する位相誤差抽出手段９と、位相誤差抽出手段９が出力する位相補正値を用いて位相補正値推定部４が出力する位相補正値の精度を向上させる差動検波手段１０とを備えている。
【００１７】
図１の動作を説明すると、伝送路から受信したマルチキャリアからなるＯＦＤＭ信号は、アナログ受信部（図示していない）において受信した後、夫々Ａ／Ｄ変換部１に入力してディジタル信号に変換する。変換したディジタル信号は、ＦＦＴ部２においてフーリエ変換することによりＯＦＤＭ復調し、所望の複素数信号を得る。
次に、通信を開始するにあたり、ＯＦＤＭ変復調装置の送信側と受信側とにおいて、既知のシンボルで構成されるプリアンブル部のシンボルを用いてトレーニングを行う。そこで、トレーニングとして、プリアンブルシンボル抽出部３により、ＯＦＤＭ復調した信号からプリアンブル部のシンボルを抽出し、更に、位相補正値推定部４において、受信したプリアンブル部のシンボルの位相平均値を求めて位相補正値を推定し、位相誤差補正部７へ入力する。位相誤差補正部７においては、シンボル点回転手段８において、受信データの符号に対応してデータ部のシンボルを、実軸上の所定の値になるように位相を回転させる。
【００１８】
図２は、本発明に係わる位相補正回路において、受信データの符号に対応してシンボル点回転手段が行う位相の回転方法を示す説明図であり、●印は理想シンボル点を、○印は復調シンボル点を示す。同図に示すように、理想シンボル点を実軸上の整数値となるよう、符号が「００」であると復調シンボル点を−４５°回転させ、同様に「１０」の場合は−１３５°、「１１」の場合は＋１３５°、「０１」の場合は＋４５°を夫々回転させる。このように復調シンボル点を所定値だけ位相回転させる事により、クロック信号の周波数ずれ等により発生する、理想シンボル点に対する復調シンボル点の誤差である位相回転量を求める事が出来る。
【００１９】
そこで、この位相回転量を基に位相誤差抽出手段９は、データ部のシンボルを位相補正すべき値を求め、差動検波手段１０において位相補正値推定部４が出力する位相補正値と同期検波を行い、位相補正値の精度の向上を図る。次に、差動検波手段１０が出力する精度の向上した位相補正値を用いて差動検波部６において差動検波を行い、データ部のシンボルの位相誤差を補正する。従って、データ部のシンボルを用いて位相補正値の精度向上を図った事により、クロック信号の周波数ずれ等による復調シンボルの位相誤差への影響を低減する事が可能となる。
【００２０】
図３は、本発明に係わる位相補正回路において、位相誤差補正部の第二の実施例を示す機能ブロック図である。同図は、第一の実施例で説明した位相誤差補正部７に置き換わって機能するもので、位相補正回路の機能ブロックを示す他の要素は第一の実施例と同一である。そこで、位相誤差補正部１１は、理想シンボル点と復調シンボル点との差分を検出するシンボル点差分検出手段１２と、検出した差分を基に位相誤差を抽出し復調シンボルの位相補正値を算出する位相誤差抽出手段１３と、該位相誤差抽出手段１３が出力する位相補正値を用いて位相補正値推定部４が出力する位相補正値の精度を向上させる差動検波手段１０とを備えている。
【００２１】
図４は、本発明に係わる位相誤差補正部の第二の実施例において、差分を検出する際の説明図であり、●印は理想シンボル点を、○印は復調シンボル点を、Ａは受信信号の振幅を示す。同図を説明すると、受信データの符号に対応して夫々理想シンボル点と復調シンボル点との差分を求めると、大きさＢとなる。そこで、振幅Ａと差分Ｂとの比Ｂ／Ａを算出すると、クロック周波数ずれ等により生じた復調シンボル点の位相回転量Ｂ／Ａ［Ｒａｄ］を求める事が出来る。
そこで、シンボル点差分検出手段１２においては、上述したように理想シンボル点と復調シンボル点との位相回転量を求めることにより、位相誤差抽出手段１３において前記位相回転量からデータ部のシンボルを位相補正すべき値を求め、差動検波手段１０において位相補正値推定部４が出力する位相補正値と同期検波を行い、位相補正値の精度の向上を図る。従って、データ部のシンボルを用いて位相補正値の精度向上を図った事により、クロック信号の周波数ずれ等による影響を低減する事が可能となる。
【００２２】
図５は、本発明に係わる位相補正回路の第三の実施例を示す機能ブロック図であり、説明に必要な構成要素のみを記載している。本発明が適用されるマルチキャリア変復調においては、サブキャリア毎に位相補正値が算出されるので、サブキャリア毎に求めた復調シンボルの位相誤差に対する位相補正値の平均値を算出し、その平均値を用いてサブキャリア毎に位相補正の精度の向上を図るものである。
【００２３】
図５は、サブキャリア１に対応した位相補正回路１４ａ、サブキャリア２に対応した位相補正回路１４ｂ、サブキャリアＮに対応した位相補正回路１４ｎと、サブキャリア毎に求めた復調シンボルの位相誤差に対する位相補正値の平均値を算出する位相誤差平均値算出部１７とにより構成し、各位相補正回路は、図１において示した位相補正回路と同一な構成要素からなる。又、位相補正回路１４ａには、位相誤差補正部１５ａを備えており、位相誤差抽出手段１６ａにおいて求めた位相補正値を位相誤差平均値算出部１７へ出力すると共に、位相誤差平均値算出部１７から各サブキャリアが求めた位相補正値の平均値を入力し、この平均値を使用して位相補正値推定部４が出力する位相補正値と同期検波を行い、位相補正値の精度の向上を図る。又、位相補正回路１４ｂには、位相誤差補正部１５ｂを備え、位相誤差抽出手段１６ｂが同様に機能する。更に、位相補正回路１４ｎには、位相誤差補正部１５ｎを備え、位相誤差抽出手段１６ｎが同様に機能する。
【００２４】
図６は、本発明に係わる位相補正回路の第四の実施例を示す機能ブロック図であり、説明に必要な構成要素のみを記載している。本実施例は、第三の実施例に加え、サブキャリア毎に算出しているＳ／Ｎ値を監視し、Ｓ／Ｎ値が所定値以上確保されているサブキャリアが求めた位相補正値のみを使用して平均値を算出し、その平均値を用いてサブキャリア毎に位相補正値の精度の向上を図るものである。これは、Ｓ／Ｎ値が劣化したサブキャリアの位相補正値を含めて平均値を求めると、平均値の精度が低下してしまうためである。
【００２５】
図６は、サブキャリア１に対応した位相補正回路１４ａ、サブキャリア２に対応した位相補正回路１４ｂ、サブキャリアＮに対応した位相補正回路１４ｎと、所定のＳ／Ｎ値を確保しているサブキャリアが求めた位相補正値の平均値を算出するＳ／Ｎ選択位相誤差平均値算出部１８とにより構成し、各位相補正回路は、図１において示した位相補正回路と同一な構成要素からなる。又、位相補正回路１４ａには、位相誤差補正部１５ａとＳ／Ｎ算出部５ａとを備えており、位相誤差抽出手段１６ａにおいて求めた位相補正値と、Ｓ／Ｎ算出手段５ａにおいて求めたＳ／Ｎ値をＳ／Ｎ選択位相誤差平均値算出部１８へ出力すると共に、Ｓ／Ｎ選択位相誤差平均値算出部１８からは、所定のＳ／Ｎ値を確保したサブキャリアにより求めた位相補正値の平均値を入力し、この位相補正値を使用して位相補正値推定部４が出力する位相補正値と同期検波を行い、位相補正値の精度の向上を図る。又、位相補正回路１４ｂには、位相誤差補正部１５ｂとＳ／Ｎ算出部５ｂとを備え、位相誤差抽出手段１６ｂが同様に機能する。更に、位相補正回路１４ｎには、位相誤差補正部１５ｎとＳ／Ｎ算出部５ｎとを備え、位相誤差抽出手段１６ｎが同様に機能する。
【００２６】
図７は、本発明に係わる位相補正回路において、位相誤差補正部に関する第五の実施例を示す機能ブロック図であり、説明に必要な構成要素のみを記載している。本実施例は、前述した第一の実施例乃至第四の実施例の夫々に対応するもので、位相誤差抽出手段が求めた復調シンボルの位相誤差が、一定値に達した場合にのみ所定の位相補正値を用いて位相補正値の精度の向上を図るようにしたもので、イレギュラーな位相誤差が求められた際に、誤った位相補正を行う事を防止するものである。例えば、位相誤差が±１°に達するまでは位相補正を行うことを止め、±１°に達すると所定値±１°の補正を行い、更に±１°以上の位相誤差が生ずると所定値±１°の加算を行うというように、位相誤差が一定値に達した場合にのみ所定の位相補正値を用いて位相補正値の精度の向上を図る。
【００２７】
図７は、前述した第一の実施例乃至第四の実施例において用いた位相誤差補正部に位相補正値設定手段を追加したもので、位相誤差補正部１９において、位相誤差抽出手段２０の出力側に位相補正値設定手段２１を追加している。そこで、位相誤差抽出手段２０は、前述したように位相誤差を求めて位相補正値を算出するが、位相補正値設定手段２１において、位相補正値が所定の一定値に達するか否かを監視し、達した際には所定値を位相補正値として出力する。
【００２８】
図８は、本発明に係わる位相補正回路の第六の実施例を示す機能ブロック図であり、説明に必要な構成要素のみを記載している。本実施例は、クロック周波数の制御を行うＡＦＣ部（図示していない）の精度が装置の設計段階で判明しており、それに伴う復調シンボルの位相誤差の大きさが推定される時、予め判明しているＡＦＣ部の精度を基に復調シンボルが誤りとなる位相誤差の限界値（時間と位相誤差の大きさ）求め、その限界値に達する前に差動検波手段に所定の時間間隔で所定の位相補正値を入力し、位相補正値推定部が推定した位相補正値の精度を向上させ、定期的に復調シンボルの位相誤差の補正を行うものである。本実施例によれば、復調シンボルの位相誤差の補正を常時行わず、間欠的に行うため消費電力の低減が行われる。
【００２９】
図８は、位相補正回路の機能ブロック図を示すが、ＡＦＣ誤差による位相補正値算出部２２と位相誤差補正部２３とを除いて図１と同一構成であるので、図１と相違するブロックのみ説明する。ＡＦＣ誤差による位相補正値算出部２２においては、予め判明しているＡＦＣ部の設計誤差を基に、復調シンボルの位相誤差を算出し、位相誤差補正部２３に備えた位相補正値設定手段２４に入力する。そこで、位相補正値設定手段２４は、入力した情報を基に所定の位相補正値と所定の位相補正周期を設定し、該設定値を差動検波手段１０に入力して位相補正値の精度の向上を図るものである。
【００３０】
図９は、本発明に係わる位相補正回路において、Ｓ／Ｎ選択したＡＦＣ誤差による位相補正値算出部に関する第七の実施例を示す機能ブロック図であり、説明に必要な構成要素のみを記載している。本実施例は、第六の実施例において記述したＡＦＣ誤差による位相補正値算出部に、Ｓ／Ｎ算出部が出力するＳ／Ｎ値を入力したもので、予め判明しているＡＦＣ部の設計誤差を基に、復調シンボルの位相誤差に対する位相補正値と位相補正周期を設定する際に、各サブキャリアのＳ／Ｎの状況により、位相補正の周期を調整するものである。これは、伝送路等のノイズの状況により復調シンボルの位相誤差が影響を受けた際に、これを補償するために行う操作であり、より精度の高い位相補正が可能となる。
【００３１】
図９は、図８において説明したＡＦＣ誤差による位相補正値算出部の替わりにＳ／Ｎ選択したＡＦＣ誤差による位相補正値算出部２５を設け、Ｓ／Ｎ算出部５が出力するＳ／Ｎ値を入力し、Ｓ／Ｎの状況を加味した位相誤差を算出して位相誤差補正部２３に備えた位相補正値設定手段２４に入力する。そこで、位相補正値設定手段２４は、入力した情報を基に所定の位相補正値と所定の位相補正周期を設定し、該設定値を差動検波手段１０に入力して位相補正値の精度の向上を図るものである。
【００３２】
【発明の効果】
上述したように、請求項１乃至５の発明は、データ部の復調シンボルを用いて位相誤差の補正値を算出し、この補正値を使用することによりプリアンブル部のシンボルを用いて求めた粗い推定による位相誤差の補正値の精度を向上させたため、フレーム内に占めるプリアンブルのシンボル数を増やすことなく性能の向上が図られ、ＯＦＤＭ変復調装置を運用する上で大きな効果を発揮する。一方、請求項６及び７の発明は、ＡＦＣ部の精度を設計値より求めることにより復調シンボルの位相誤差が推定出来るので、復調シンボルの位相誤差を常時監視することなく所定の周期で間欠的に位相補正を実行する事が可能となり、ＯＦＤＭ変復調装置の消費電力を低減する上で大きな効果を発揮する。
【図面の簡単な説明】
【図１】本発明に係る位相補正回路の第一の実施例を示す機能ブロック図である。
【図２】本発明に係わる位相補正回路において、受信データの符号に対応してシンボル点回転手段が行う位相の回転方法を示す説明図である。
【図３】本発明に係わる位相補正回路において、位相誤差補正部の第二の実施例を示す機能ブロック図である。
【図４】本発明に係わる位相誤差補正部の第二の実施例おいて、差分を検出する際の説明図である。
【図５】本発明に係わる位相補正回路の第三の実施例を示す機能ブロック図である。
【図６】本発明に係わる位相補正回路の第四の実施例を示す機能ブロック図である。
【図７】本発明に係わる位相補正回路において、位相誤差補正部に関する第五の実施例を示す機能ブロック図である。
【図８】本発明に係わる位相補正回路の第六の実施例を示す機能ブロック図である。
【図９】本発明に係わる位相補正回路において、Ｓ／Ｎ選択したＡＦＣ誤差による位相補値算出部に関する第七の実施例を示す機能ブロック図である。
【図１０】従来のＯＦＤＭ変復調装置の位相補正回路の機能構成例を示す。
【図１１】従来のＯＦＤＭ変復調装置のフレームフォーマット例を示す。
【符号の説明】
１・・ＡＤ変換部、　　　　　　　　２・・ＦＦＴ部、
３・・プリアンブルシンボル抽出部、
４・・位相補正値推定部、　　　　　５、５ａ、５ｂ、５ｎ・・Ｓ／Ｎ算出部、
６・・差動検波部、　　　　　　　　７・・位相誤差補正部、
８・・シンボルテン回転部、　　　　９・・位相誤差抽出手段、
１０・・差動検波手段、　　　　　　１１・・位相誤差補正部、
１２・・シンボル点差分検出手段、　１３・・位相誤差抽出手段、
１４ａ、１４ｂ、１４ｎ・・位相補正回路、
１５ａ、１５ｂ、１５ｎ・・位相誤差補正部、
１６ａ、１６ｂ、１６ｎ・・位相誤差抽出手段、
１７・・位相誤差平均値算出部、
１８・・Ｓ／Ｎ選択位相誤差平均値算出部、
１９・・位相誤差補正部、　　　　　２０・・位相誤差抽出手段、
２１・・位相補正値設定手段、
２２・・ＡＦＣ誤差による位相補正値算出部、
２３・・位相誤差補正部、　　　　　２４・・位相補正値設定手段、
２５・・Ｓ／Ｎ選択したＡＦＣ誤差による位相補正値算出部
【図１】
2004007280.tif 000003
【図２】
2004007280.tif 000004
【図３】
2004007280.tif 000005
【図４】
2004007280.tif 000006
【図５】
2004007280.tif 000007
【図６】
2004007280.tif 000008
【図７】
2004007280.tif 000009
【図８】
2004007280.tif 000010
【図９】
2004007280.tif 000011
【図１０】
2004007280.tif 000012
【図１１】
2004007280.tif 000013